(57)【要約】【課題】  本発明は、前記従来技術の問題点を鑑みてなされたもので、水噴射式織機において、織機内部の水の飛散を防止し、水を一カ所に収集することで、経糸や織布への水の付着を防ぎ、かつ織機内部のメンテナンスなどや水の回収を容易にする水噴射式織機を提供することを目的とする。【解決手段】  本発明のテンプル装置は、織機の左右両端の一対のフレームで当該フレームに掛け渡された複数の梁を有する水噴射式織機において、前後一対の梁の間、またはその下側に設けられた水回収部と、緯糸飛走路から送出ビームとの間と緯糸飛走路から巻取ロールとの間の少なくとも一方に設けられ、対応するビームまたはロールを緯糸飛走路から遮断するように上下に延在する水受けカバーとを備え、該水受けカバーの下端は前後一対の梁の間または、前後一対の梁の間の上下方向延長領域内に位置することを要旨とする。【選択図】  図１
2005264391.tif 000002
【特許請求の範囲】
【請求項１】
織機の左右両端の一対のフレームで当該フレームに掛け渡された複数の梁を有する水噴射式織機において、前後一対の梁の間、またはその下側に設けられた水回収部と、緯糸飛走路から送出ビームとの間と緯糸飛走路から巻取ロールとの間の少なくとも一方に設けられ、対応するビームまたはロールを緯糸飛走路から遮断するように上下に延在する水受けカバーとを備え、該水受けカバーの下端は前後一対の梁の間または、前後一対の梁の間の上下方向延長領域内に位置することを特徴とする水噴射式織機。
【請求項２】
水受けカバーの下端は対応する梁上面の高さ近傍、または上面よりも低い高さに位置することを特徴とする請求項１に記載の水噴射式織機。
【請求項３】
水受けカバーは少なくとも織幅全域に渡って存在することを特徴とする請求項１または請求項２のいずれかに記載の水噴射式織機。
【請求項４】
少なくとも二本の梁を連結する補強部材を備え、補強部材はその上面が前後一対の梁の間において梁の上面の高さと同一或いは低い部位を有し、水受けカバーの下端の前後位置は前記部位に対応して設けられていることを特徴とする請求項２または請求項３のいずれかに記載の水噴射式織機。
【請求項５】
少なくとも二本の梁を連結する補強部材を備え、水受けカバーが補強部材と対応する位置に、水受けカバーに切り目または切欠部を設けたことを特徴とする請求項１から請求項４のいずれかに記載の水噴射式織機。
【請求項６】
少なくとも二本の梁を連結する補強部材を備え、水遮蔽部材を梁の延在方向において補強部材に対応する位置に設けたことを特徴とする請求項３から請求項５のいずれかに記載の水噴射式織機。
【請求項７】
水遮蔽部材を水受けカバーの反水受け側に設けたことを特徴とする請求項６に記載の水噴射式織機。
【請求項８】
水遮蔽部材は補強部材の上面に形成されていることを特徴とする請求項６または請求項７のいずれかに記載の水噴射式織機。
【請求項９】
補強部材は梁の上面に固定されており、水遮蔽部材は前後方向における補強部材の端部と前後方向における梁の端部との間の梁上面に設けられていることを特徴とする請求項７に記載の水噴射式織機。
【請求項１０】
水受けカバーが補強部材と対応する位置に切欠部を有すると共に、切欠部を除く幅の全域について水受けカバーの下端が梁上面の高さ近傍、または上面よりも低い高さに位置しており、水遮蔽部材が切欠部をふさぐように延在することを特徴とする請求項６から請求項９のいずれかに記載の水噴射式織機。
【請求項１１】
織機の左右両端の一対のフレームで当該フレームに掛け渡された複数の梁を有する水噴射式織機において、前後一対の梁の間、またはその下側に設けられた水回収部と、緯糸飛走路から送出ビームとの間と緯糸飛走路から巻取ロールとの間の少なくとも一方に設けられ、対応するビームまたはロールを緯糸飛走路から遮断するように上下に延在する水受けカバーと、梁から連続して上方に延在する補助板であり、織幅方向に延在する補助板とを備え、水受けカバーの下端は補助板上面の高さ近傍、または上面よりも低い高さに位置することを特徴とする水噴射式織機。
【請求項１２】
水受けカバーの下端は補助板よりも水受け側であることを特徴とする請求項１１に記載の水噴射式織機。
【請求項１３】
少なくとも二本の梁を連結する補強部材を備え、補助板と水受けカバーは水受けカバーの水受け側から見て少なくとも織幅全域に渡って相対的に近傍にあるか重複しており、補助板の非存在域に対応する水受けカバーの下端は少なくとも梁或いは補強部材の上面の近傍に位置していることを特徴とする請求項１１または請求項１２のいずれかに記載の水噴射式織機。
【請求項１４】
少なくとも二本の梁を連結する補強部材を備え、水受けカバー及び補助板が少なくとも織幅全域に渡って存在しており、織幅方向について補強部材に対応する位置に水受けカバー或いは補助板が切欠を形成していることを特徴とする請求項１１または請求項１２のいずれかに記載の水噴射式織機。
【請求項１５】
水受けカバー及び補助板の幅の全域について、水受けカバーの水受け側から見てほぼ隙間無く延在することを特徴とする請求項１４に記載の水噴射式織機。
【請求項１６】
織機の左右両端の一対のフレームで当該フレームに掛け渡された複数の梁を有する水噴射式織機において、前後一対の梁の下側に設けられ一方の梁の下方を前後方向に跨いで延在する水回収部と、緯糸飛走路から送出ビームとの間と緯糸飛走路から巻取ロールとの間の少なくとも一方に設けられ、対応するビームまたはロールを緯糸飛走路から遮断するように上下に延在する水受けカバーと、前記一方の梁に対し他方の梁とは反対側において水回収部の上方に位置し織幅方向に延在する補助板であり、梁の上面の高さ位置から上方に延在する補助板を備え、水受けカバーの下端は補助板より梁側であって、補助板の上面の高さ近傍、または上面より低い高さに位置することを特徴とする水噴射式織機。
【請求項１７】
少なくとも一方の補助板が水回収部と一体形成されていることを特徴とする請求項１１から請求項１６のいずれかに記載の水噴射式織機。
【請求項１８】
織機の左右両端の一対のフレームで当該フレームに掛け渡された複数の梁を有する水噴射式織機において、前後一対の梁の下側に設けられた水回収部と、緯糸飛走路から送出ビームとの間と緯糸飛走路から巻取ロールとの間の少なくとも一方に設けられ、対応するビームまたはロールを緯糸飛走路から遮断するように上下に延在する水受けカバーとを備え、水回収部は一方の梁の下方を前後方向に跨いで延在し、水受けカバーは一方の梁に対し他方の梁とは反対側において水回収部の上方に位置し、水受けカバーの下端は一方の梁の上面の高さ近傍、または上面より低い高さに位置することを特徴とする水噴射式織機。
【請求項１９】
一対のフレームの間に複数の運動機構が設けられており、一対の梁のうち少なくとも一方の下端は前記全ての運動機構の運動範囲よりも下側に位置していることを特徴とする請求項１から請求項１８のいずれかに記載の水噴射式織機。
【発明の詳細な説明】
【技術分野】
【０００１】
この発明は、水噴射式織機の織機内部の水受け装置に関する。
【背景技術】
【０００２】
水噴射式織機においては、織布を製織するために水を噴射して緯糸を飛走させる。
【０００３】
噴射した水を回収するために緯糸飛走路の下方には緯糸飛走路に沿って水受けが設けられているが、前記水受けでは全ての水が回収できないため、織機の内部に水が飛散することになる。そこで、巻取ロールと緯糸飛走路との間に水遮蔽板を設けて、飛散した水が脱水後の織布がまかれた巻取ロールに付着することを防止できる。
【０００４】
この水受け装置として、特許文献１があげられる。
【０００５】
特許文献１には、緯糸飛走路から筬により煽られて飛散した水が、脱水後の織布に落下しないように水遮蔽板を設けている。
【特許文献１】特開平１１−１０７１３６号公報
【発明の開示】
【発明が解決しようとする課題】
【０００６】
緯入れ時に噴射された水が織機内部に飛散し、巻取ロールや送出ビームに巻かれた経糸を濡らしてしまう。また、水が織機内部の至る所に飛散し、織機内の底部に溜まったりすることで、メンテナンス作業などの妨げにもなる。
【０００７】
特許文献１の水遮蔽板を用いた場合、巻取ロールやプレス装置への水滴防止のみを行っているため、遮蔽された水が一定箇所に回収されることはなく織機内部に落下することになり、落下した水の回収や織機内部のメンテナンスが困難である。また、送出ビーム側にも水が飛散し、製織前の経糸を濡らすことになる。
【０００８】
従って本発明の目的は、水噴射式織機において、織機内部の水の飛散を防止し、水を一カ所に収集することで、経糸や織布への水の付着を防ぎ、かつ織機内部のメンテナンスなどや水の回収を容易にする水噴射式織機を提供することにある。
【０００９】
さらに、水受けカバーを織幅全域に渡って設けられた梁の内側に設けることにより、不必要な織機内部の部品などへの水の付着も防止できる。そのため、水による部品などの腐食も防止でき、耐久性が向上する。また、水受けカバーから水回収部への水の落下による、水はねの飛散を梁により食い止めることが出来、水回収部以外への水の散乱を防止することを目的とする。
【課題を解決するための手段】
【００１０】
この出願に係る第一の発明の水噴射式織機は、織機の左右両端の一対のフレームで当該フレームに掛け渡された複数の梁を有する水噴射式織機において、前後一対の梁の間、またはその下側に設けられた水回収部と、緯糸飛走路から送出ビームとの間と緯糸飛走路から巻取ロールとの間の少なくとも一方に設けられ、対応するビームまたはロールを緯糸飛走路から遮断するように上下に延在する水受けカバーとを備え、該水受けカバーの下端は前後一対の梁の間または、前後一対の梁の間の上下方向延長領域内に位置している。
【００１１】
この出願に係る第二の発明の水噴射式織機は、織機の左右両端の一対のフレームで当該フレームに掛け渡された複数の梁を有する水噴射式織機において、前後一対の梁の間、またはその下側に設けられた水回収部と、緯糸飛走路から送出ビームとの間と緯糸飛走路から巻取ロールとの間の少なくとも一方に設けられ、対応するビームまたはロールを緯糸飛走路から遮断するように上下に延在する水受けカバーと、梁から連続して上方に延在する補助板であり、織幅方向に延在する補助板とを備え、水受けカバーの下端は補助板上面の高さ近傍、または上面よりも低い高さに位置している。
【００１２】
この出願に係る第三の発明の水噴射式織機は、織機の左右両端の一対のフレームで当該フレームに掛け渡された複数の梁を有する水噴射式織機において、前後一対の梁の下側に設けられ一方の梁の下方を前後方向に跨いで延在する水回収部と、緯糸飛走路から送出ビームとの間と緯糸飛走路から巻取ロールとの間の少なくとも一方に設けられ、対応するビームまたはロールを緯糸飛走路から遮断するように上下に延在する水受けカバーと、前記一方の梁に対し他方の梁とは反対側において水回収部の上方に位置し織幅方向に延在する補助板であり、梁の上面の高さ位置から上方に延在する補助板を備え、水受けカバーの下端は補助板より梁側であって、補助板の上面の高さ近傍、または上面より低い高さに位置している。
【００１３】
この出願に係る第四の発明の水噴射式織機は、織機の左右両端の一対のフレームで当該フレームに掛け渡された複数の梁を有する水噴射式織機において、前後一対の梁の下側に設けられた水回収部と、緯糸飛走路から送出ビームとの間と緯糸飛走路から巻取ロールとの間の少なくとも一方に設けられ、対応するビームまたはロールを緯糸飛走路から遮断するように上下に延在する水受けカバーとを備え、水回収部は一方の梁の下方を前後方向に跨いで延在し、水受けカバーは一方の梁に対し他方の梁とは反対側において水回収部の上方に位置し、水受けカバーの下端は一方の梁の上面の高さ近傍、または上面より低い高さに位置している。
【発明の効果】
【００１４】
本発明の構成によれば、送出ビームまたは巻取ロールを緯糸飛走路から遮断するように上下に延在する水受けカバーとを備えているため、ビームの経糸またはロールの織布が飛散した水で濡れることを防止できる。
【００１５】
また、織機の左右両端の一対のフレームに掛け渡された前後一対の梁の間に水回収部を設け、織機内部に飛散し、水受けカバーに遮られた水を全て前記水回収部に収集することで、織機内部のメンテナンスが容易になる。
【発明を実施するための最良の形態】
【００１６】
以下、本発明の実施形態を図面に基づいて詳述する。
【００１７】
第一の発明に係る第一の実施の形態を図１に示す。水噴射式織機１は、経糸送出ビーム３、織布巻取ロール４、織布プレス装置５、緯糸飛走路６、筬７、開口装置８、緯糸飛走路の水受け９、織機の左右両端の一対のフレーム２、左右のフレームの前後上下に掛け渡された梁２１、２２、２３、２４を備えている。
【００１８】
水受けカバー１１１は、図示しない緯入れ用のノズルから噴射される水と、緯糸飛走路６と経糸送出ビーム３とを遮断するように上下に延在しており、左右のフレーム２に掛け渡された支持部材３１、３３によりフレーム２に支持されている。詳細には、水受けカバー１１１は上端部が支持部材３１に固定され、中間部分が支持部材３３に載置され、ここで屈曲して垂れ下がっている。水受けカバー１１１の下端はフレームの下側後方の梁２４の前方まで延在しており、水受けカバー１１１によって飛散を遮断された水は、水受けカバー１１１に沿って下側の前後一対の梁２３、２４の間に設けられた水回収部１５に回収される。水回収部１５は、一対の梁２３、２４に載置されている。
【００１９】
水受けカバー１１２は、緯糸飛走路６と巻取ロール４とを遮断するように上下に延在しており、左右のフレーム２に掛け渡された支持部材３２と梁２１によりフレーム２に支持されている。詳細には、水受けカバー１１２の上端部が梁２１に固定され、水受けカバー１１２の中間部分が支持部材３２により屈曲案内されている。水受けカバー１１２の下端は下側前方の梁２３の後方まで延在しており、水受けカバー１１２によって飛散を遮断された水は、水受けカバー１１２に沿って水回収部１５に回収される。
【００２０】
尚、水受けカバー１１１、１１２はいずれか一方、例えば、巻取ロール４側のみに設けても良い。また、水受けカバー１１１、１１２の下端は一対の梁の間の上下方向延長領域内、即ち前後一対の梁の間の上方に位置すれば良いが、より好ましくは、図１のようにカバーの下端が一対の梁の間か、梁上面の高さ近傍まで延在している状態とする。
【００２１】
また、水受けカバー１１１、１１２は織幅方向において、少なくとも噴射した水の到達部である反給糸側の一部に設けられていればよいが、織幅全域に渡るように、さらには織機の左右のフレーム間に隙間無く設けられていることが好ましい。水受けカバーは一体でも良いし、織幅方向に複数に分割されていても良い。水回収部１５についても、水受けカバーに対応して反給糸側の一部か、織幅全域に渡って設けられている。
【００２２】
第一の発明に係る他の実施の形態を図２から図１３に示す。図２は、第一の発明に係る水噴射式織機に水受けカバーに交差するように設けられた補強部材２５を設けた水噴射式織機１である。補強部材２５は、梁２１、２２、２３、２４にボルトなどでそれぞれ固定されており、これによって各梁を相互に連結している。上記の補強部材２５は、梁２３、２４の各取り付け部からすぐに上方に向かって延在しており、１つ或いは、梁の延在方向に離間して複数設けられる。
【００２３】
図２では、補強部材２５は４本の梁に全て固定される形状であるが、この形状に限定されるものではない。例えば、２本の梁２３、２４に固定される補強部材もある。その他、梁２１、２３等のように上下一対の梁を補強部材で固定する場合や、梁２１、２４などの様に斜め一対の梁を補強部材で固定される場合などがある。
【００２４】
図３は水が前後一対の梁２３、２４の外側に漏洩することなく、水回収部１５に回収されるように構成された補強部材２５の取り付け部付近（図２における一点鎖線の円内）の拡大図である。また、図４から図１８及び図２１は補強部材２５と梁２３との取り付け部分から、補強部材２５が水平に延びてから上方にも延在する図３の変形例である。
【００２５】
図３では、水受けカバー１１２の反水受け側、即ち水を受ける面と反対の面の側における補強部材２５の上面に水遮蔽部材４１を設けている。
【００２６】
水遮蔽部材４１は、水受けカバー１１２の反水受け側における補強部材２５の上面、つまり梁の延在方向において補強部材２５に対応する位置であって、前後一対の梁２３、２４の間の上方に位置するように一体的に形成された突起物である。水遮蔽部材４１は補強部材２５に一体形成されていても良いし、別体の水遮蔽部材４１を補強部材２５の上面に一体的に取り付けても良い。
【００２７】
このように、水遮蔽部材４１が設けられることにより、水受けカバー１１２に沿って水が落下し、補強部材２５の上面を一対の梁の外側方向へと流れていったとしても、水遮蔽部材４１によって進行を遮断され、その後、補強部材２５の側面をつたって落下し水回収部１５に回収される。
【００２８】
補強部材２５の厚みに対する水遮蔽部材４１の幅は、補強部材２５の厚みより小さくても良いが、好ましくは補強部材２５の厚さと同じか、それより大きく、即ち補強部材２５からはみ出るようにするのが良い。
【００２９】
図４に示す実施形態では、断面がＬ字形の梁２３の内側に補強部材２５を取り付けている。補強部材２５には梁２３の上面２３ａの高さと同一或いは低い部位５１が設けられている。水受けカバー１１２の下端の前後位置は該部位５１に対応する位置となっている。また、水受けカバー１１２の下端の上下位置は、梁２３の上面高さ近傍か、それより低くなっている。
【００３０】
水受けカバー１１２の反水受け側に梁２３に対する補強部材２５の取り付け部２５ｂがあり、この取り付け部２５ｂの上面は部位５１よりも高くなっているため、補強部材２５上に落下した水が梁の外側に漏れることなく水回収部１５に回収される。
【００３１】
補強部材２５の取り付け部２５ｂは、その上面と梁２３の上面２３ａが一致していてもよいし、取り付け部２５ｂの上面のほうが高い位置にあっても良い。
【００３２】
図５から図７は、梁２３の内側に補強部材２５を取り付けている。補強部材２５の梁２３への取り付け部であるネジ座部分の上面が梁２３の上面２３ａ、詳細には梁２３の上端部の上面２３ａの高さと同一或いは低い部位となるように、補強部材２５は取り付けられている。水受けカバー１１２の下端は梁２３の内側、または水回収部１５の上方に位置している。水受けカバー１１２の下端の上下位置は梁２３の上面高さ近傍かそれより低くなっている。
【００３３】
水受けカバー１１２から落下した水が、補強部材２５の上面を水受けカバー１１２の反水受け側に流れたとしても梁２３が水を遮断し、梁２３の外側への水の漏洩を防止することが可能となる。
【００３４】
図５及び図７の水回収部１５では、一対の梁２３、２４の間の下側に設けられており、水回収部１５の端部が梁２３の下方領域に位置している。これにより、Ｌ字形の梁２３の内側に水受けカバー１１２から落下しても、梁２３の内側をつたって水回収部１５内に水が回収される。
【００３５】
図８では、水受けカバー１１２が補強部材２５と対応する位置に切欠部１２を設けている。水受けカバー１１２の反水受け側の補強部材２５の全周面には水遮蔽部材４２を設けている。
【００３６】
このように、切欠部１２を設けることによって、水受けカバー１１２の下端を、より水回収部１５に近づけることが可能になり、水受けカバー１１２で遮断した水をより確実に水回収部に回収することが出来る。さらに、水受けカバー１１２の水受け側から見て、水受けカバー１１２と水遮蔽部材４２が重なり、隙間無く構成されていることで、水受けカバー１１２での水の回収がより確実になり、梁２３の外側に水が漏れることはない。
【００３７】
図９は、図８の変形例であり、水遮蔽部材４３が水受けカバー１１２よりも水受け側の補強部材２５に設けられている。
【００３８】
図１０は、補強部材２５の腕が一旦下方に延在し、補強部材の取り付け部２５ｂの上面２５ａよりも低い位置となる部位２６が設けられている。水受けカバー１１２の下端は前後位置において前記部位２６に対応する位置に設けられている。水受けカバー１１２の補強部材２５に対応する位置には切欠が設けてあり、補強部材２５との交差によって互いに干渉しないようになっている。
【００３９】
また、前記部位２６の上面が梁２３の上面の高さよりも低いか、ほぼ同一の位置に水受けカバー１１２を交差させる場合には、水受けカバー１１２に切欠を設けることなく、水受けカバー１１２の下端を部位２６の近傍に設ければよい。
【００４０】
これにより、水受けカバー１１２の反水受け側の補強部材２５の方が、水受け側の補強部材２５よりも高いため、水受けカバー１１２から落下する水は梁２３の外側に漏れることがない。
【００４１】
図１１では、水受けカバー１１２の反水受け側である補強部材２５の先端部分を一回り大きくすることによって、先端部分で水遮蔽部材４４を構成している。
【００４２】
水遮蔽部材４４は、水受けカバー１１２の反水受け側における補強部材２５の先端部分における上下方向の断面の外形寸法が先端部分につながる中間部分のそれよりも大きくなっているため、補強部材２５の中間部分の上面及び側面よりも水遮蔽部材４４である先端部分が突出している。このため、補強部材２５上の水の進行を水遮蔽部材４４によって遮断し、水が水回収部１５に回収されることになる。
【００４３】
水遮蔽部材４４は、補強部材２５と一体形成されていても良いし、補強部材２５の先端部分へ隙間無く嵌めこむ水遮蔽部材４４を別体で構成しても良い。また、水受けカバー１１２の補強部材２５に対応する部分に切欠を設け、補強部材２５に対応しない部分の水受けカバー１１２の下端の高さを梁２３の上面近傍或いは、それよりも低くしても良い。
【００４４】
図１２では、補強部材２５が梁２３の上面に固定されており、織幅方向において補強部材２５に対応する位置であって、補強部材の端部２５ｃと梁の端部２３ｂとの間の梁の上面２３ａに、水遮蔽部材４５が設けられている。
【００４５】
水遮蔽部材４５の織幅方向の幅は、補強部材２５の厚みと同一であっても良いが、好ましくは、補強部材２５のネジ座２５ｂと同じかそれよりも広くする。
【００４６】
図１３では図１２と同様の水遮蔽部材４６を設けており、補強部材２５と対応する位置の水受けカバー１１２に切欠部１２を設けてある。水受けカバー１１２と水遮蔽部材４６は水受けカバー１１２の水受け側から見ると重複しており、隙間のない状態となっている。
【００４７】
また、水受けカバー１１２の下端は、水遮蔽部材４６の設けていない領域では、梁２３の上面の近傍か或いは、それよりも低くなっている。
【００４８】
水遮蔽部材４６の梁２３の外側方向への水の漏洩を防止するために、水遮蔽部材４６の織機幅方向の両端を、水回収部１５側に屈曲させてもよい。また、水遮蔽部材４６の織幅方向の幅は、水が梁２３の外側に漏洩しないように、補強部材２５、詳細には補強部材２５のネジ座部分２５ｃの厚みと同じかそれより大きくして、補強部材２５の両側にはみ出るようにすることが望ましい。
【００４９】
第二の発明に係る実施の形態を図１４から図２０に示す。図１４では、図４と同様のＬ字形の梁２３の内側に補強部材２５を取り付けている。梁２３と補強部材２５との間に板状の補助板６１を設け、補強部材２５と補助板６１とを梁２３に共締めしている。
【００５０】
補助板６１は遮断した水を水回収部１５に誘導するように、補助板６１の下端部が梁２３の水回収部１５側に向けて水回収部１５の上方まで、下垂する形状としてある。また、補助板の上端は補強部材２５の上面よりも高い位置まであって、水を遮断できればよい。
【００５１】
水受けカバー１１２の下端は、補助板６１の上面と同じ高さか、それより低い位置に設けられている。また、水受けカバー１１２の下端は、補助板６１よりも水回収部側となる。尚、水受けカバー１１２の下端は、補助板６１の上面の高さ近傍に設けられていても良い。近傍とは、補助板６１の上面の高さから３ｃｍ上までの範囲をいう。
【００５２】
補助板６１は織幅方向に延在しており、少なくとも水受けカバー１１２に対応する位置に設けられている。補助板６１は織幅全域に、より好ましくは織機の幅全域に設けることが望ましい。
【００５３】
図１５では、断面がコの字形の梁２３の上面に、補強部材２５を取り付けている。補助板６２は梁２３に補強部材２５と共にネジ止めされており、補助板６２が梁２３の外側に向かう端部は、屈曲して梁２３から連続して上方に延在するよう設けられている。
【００５４】
補助板６２は梁の上面２３ａに設けられており、その上端は、梁２３より突出していれば良い。好ましくは、補助板６２は補強部材の上面２５ａと同一か、上面２５ａよりも上方に位置するように構成し、水受けカバー１１２の下端が補助板６２の上面と同じ高さか、それより低い位置に設けられる。
【００５５】
上方に突出した補助板６２の補強部材２５側の側面が、補強部材２５に接している場合には補助板６２の上面は補強部材２５よりも高くし、補強部材の上面２５ａの水の進行を遮断する構成とする。また、補助板６２の側面が補強部材２５に接していない場合には、補助板６２の上面は梁２３から突出していれば良く、補強部材の上面２５ａよりも下方に位置しても良い。
【００５６】
また、図１５では補助板６２の上方への突出部は梁の上面２３ａに設けられているが、図１６の補助板６３ように、梁２３よりも外側に位置していても良い。
【００５７】
図１７では補助板６４を設けており、補強部材２５と対応する位置の補助板６４を取り除いてある。補助板６４の取り除いてある、非存在領域での水受けカバー１１２は補強部材２５の上面の近傍に位置しており、補助板６４の存在領域では、水受けカバー１１２と補助板６３は水受けカバー１１２の水受け側から見ると重複している。
【００５８】
補助板６４が補強部材２５と対応する位置は、取り除いて別体にしてあるが、補強部材２５と対応する部分のみに切欠を設けても良い。また、補助板６４の上面高さは補強部材２５の上面高さよりも高い位置になるように設けてあるが、同じ高さか、低くしても良い。この場合は、水受けカバー１１２が補強部材２５に対応する位置に切欠を設け、水受けカバー１１２の下端の高さを補助板６４の上面の高さと同じか、より低くすることにより、梁２３の外側への水の漏洩をより防止できる。
【００５９】
第三の発明に係る実施の形態を図１８に示す。水回収部１５が梁２３を跨いで設置されている。梁２３の外側、つまり他方の梁とは反対側であって水回収部１５の上方に、織幅方向に延在する補助板６５が設けられている。水受けカバー１１２の下端は、補助板６５と梁２３との間であって、補助板６５の上面高さ近傍、または上面より低い高さに位置している。
【００６０】
補助板６５の上面高さは梁２３の上面高さよりも高い位置であり、下端は梁２３の上面高さよりも低い位置であることが望ましい。また、補助板６５は左右のフレームに固定されていても良いし、織機の一部、例えば梁などにステーなどを用いて取り付けられていても良い。
【００６１】
図１９では水回収部１５と補助板６６とが一体成形されている。補助板６６の補強部材２５の取り付け部に対応する位置に孔を設け、補強部材２５が梁２３、２４にネジ止めされている。水受けカバー１１１、１１２の下端は、補助板６６よりも水回収部１５側であって、補助板６６の上端の近傍か、それよりも低い位置になるように設けられている。
【００６２】
補強部材２５は、補助板６６にネジ穴を空けて共締めで梁にネジ止めしても良い。
また、図２０の様に、一方の梁２４に対応する補助板６７のみを一体成形し、他方の梁２３の補助板６８は別体としても良い。
【００６３】
図１９の水回収部１５と補助板６６の一体成形は、梁２３と梁２４の内側に補助板６６が設けてある例であるが、梁の外側に補助板６６が設けてあっても良い。また、補助板６６と水回収部１５の一体成形品の取り付けは、梁に限定される物ではなく、織機の左右のフレームなど、織機の一部に取り付けられていればよい。
【００６４】
第三の発明に関わる補助板と水受けカバーは、重複していることに限定されることはなく、相対的に３ｃｍ以内の近傍に位置していても良い。また、補助板は好ましくは織幅全域、さらに好ましくは織機の全幅に渡って設けられる。このとき、水受けカバーは少なくとも補助板に対応した位置に設けることが望ましい。
【００６５】
第四の発明に係る実施の形態を図２１に示す。図２１では、水回収部１５が梁２３を跨いで延在し、設置されており、水受けカバー１１２の下端は梁２３の外側、つまり他方の梁とは反対側において、水回収部１５の上方に位置している。また、水受けカバー１１２の下端は、梁の上面２３ａの高さ近傍か、それよりも低い位置まで延在している。
【００６６】
図３から図２１では、梁２３および水受けカバー１１２において説明したが、梁２４および水受けカバー１１１においても同様の構成を用いることで、水受けカバー１１２の反水受け側への水の進行を遮断することが出来る。
【００６７】
全ての実施形態では、水受けカバーは経糸送出ビーム側および巻取ロール側の両側に設けてある例で説明したが、必要に応じていずれか一方に設けられていればよい。また、水受けカバーは、少なくとも織幅全域、より好ましくは織機全幅に渡って設けるが、水飛散量の多い反給糸側の一部、例えば、織幅全域の反給糸側の約半分に設けられているのでも良い。水受けカバーの素材は水を透過させないものであれば良く、ビニールシートや金属やプラスチック製の板状の部材などを用いても良い。また、水受けカバーは、一枚でも織幅方向で区分された複数枚の部材で構成されていても良い。
【００６８】
水受けカバーの下端は一対の梁の間、または水回収部の上方であればよい。また、断面がＬ字形の梁に補強部材を取り付ける場合に置いては、図１４で説明した補助板のように、その下端を水回収部の上方に下垂させることが好ましい。また、水遮蔽部材を用いずに、梁が水を遮断する構成とする場合には図５の水回収部１５のように、梁の下方に水回収部１５の端部を設けることが好ましい。
【００６９】
このように、水遮蔽部材や補助板などで遮断した水が落下する先が、水回収部内とならない場合には、水回収部内に水を誘導する構成を用いることで、補強部材の上面の水が遮断されて落下するときに、確実に水回収部内に水を回収することが出来る。
【００７０】
また、梁の形状や設置位置は記載された実施形態に限定されるものではなく、通常用いられる形状であれば、どのような物でも良い。このとき、梁の形状などに応じて適切な実施の形態を採用すればよい。
【００７１】
以上説明した実施形態のうち、図８、図１１、図１３から図１７に示される水遮蔽部材および補助板のように、水遮蔽部材或いは補助板の少なくとも下端部を水回収部１５の上に位置させると共に、水遮蔽部材或いは補助板の水遮蔽面を水が下端部に全て案内されるように垂直に、或いは、傾斜させて形成することが望ましい。
【００７２】
また、水回収部１５は、回収した水が漏洩しない程度の深さを設けたものでも良いし、織機設置床面に溝を設けて水回収部としても良い。また、水回収部に回収された水は、図示しない排水孔から織機の外部に排水される。
【００７３】
前後一対の梁の間には織機の運動機構、例えば開口装置の駆動部などが配置されている。この運動機構に付着した水はその運動により周囲に拡散する。また、その運動範囲が水回収部内の水に接する場合にも、その運動により水回収部内の水が飛び散ることとなる。
【００７４】
運動機構が複数存在しても、それらの運動機構の運動範囲が、いずれも、少なくとも一つの梁の下端よりも上に位置するように設置されている場合には、梁が水受けカバーや補助板などと同様に、水を遮蔽する役割を果たすので、梁よりも下側には水を遮蔽するための部材は特に必要なく、水回収部と梁との間に隙間が空いていても、水が水回収部外に漏洩することは無い。
【００７５】
本発明は上記実施例に限定されず、その趣旨を逸脱しない限り種々変更することができる。
【図面の簡単な説明】
【００７６】
【図１】第一の実施の形態における織機の断面図である。
【図２】第二から第四の実施の形態における織機の断面図である。
【図３】図２における、Ａ部分の拡大図である。
【図４】図２における、Ａ部分の拡大図である。
【図５】図２における、Ａ部分の拡大図である。
【図６】図２における、Ａ部分の拡大図である。
【図７】図２における、Ａ部分の拡大図である。
【図８】図２における、Ａ部分の拡大図である。
【図９】図２における、Ａ部分の拡大図である。
【図１０】図２における、Ａ部分の拡大図である。
【図１１】図２における、Ａ部分の拡大図である。
【図１２】図２における、Ａ部分の拡大図である。
【図１３】図２における、Ａ部分の拡大図である。
【図１４】図２における、Ａ部分の拡大図である。
【図１５】図２における、Ａ部分の拡大図である。
【図１６】図２における、Ａ部分の拡大図である。
【図１７】図２における、Ａ部分の拡大図である。
【図１８】図２における、Ａ部分の拡大図である。
【図１９】第三の発明に係る実施の形態における織機の断面図である。
【図２０】第三の発明に係る実施の形態における織機の断面図である。
【図２１】第四の発明に係る実施の形態における織機の断面図である。
【符号の説明】
【００７７】
１    織機
２    フレーム
３    経糸送出ビーム
４    巻取ロール
５    プレス装置
６    緯糸飛走路
７    筬
８    開口装置
９    緯糸飛走路水受け
１１１、１１２  水受けカバー
１２    切欠部
１５    水回収部
２１、２２、２３、２４  梁
２５    補強部材
３１、３２、３３  支持部材
４１、４２、４３、４４、４５、４６  水遮蔽部材
６１、６２、６３、６４、６５、６６、６７、６８  補助板
【図１】
2005264391.tif 000003
【図２】
2005264391.tif 000004
【図３】
2005264391.tif 000005
【図４】
2005264391.tif 000006
【図５】
2005264391.tif 000007
【図６】
2005264391.tif 000008
【図７】
2005264391.tif 000009
【図８】
2005264391.tif 000010
【図９】
2005264391.tif 000011
【図１０】
2005264391.tif 000012
【図１１】
2005264391.tif 000013
【図１２】
2005264391.tif 000014
【図１３】
2005264391.tif 000015
【図１４】
2005264391.tif 000016
【図１５】
2005264391.tif 000017
【図１６】
2005264391.tif 000018
【図１７】
2005264391.tif 000019
【図１８】
2005264391.tif 000020
【図１９】
2005264391.tif 000021
【図２０】
2005264391.tif 000022
【図２１】
2005264391.tif 000023